(57)【要約】【課題】ＰＡＬ信号やＳＥＣＡＭ信号に水平走査線数を最適化した表示パネルに対し、回路規模、コスト、並びに駆動電力を増大させることなく、ＮＴＳＣ信号を表示することが可能な映像表示装置を提供する。【解決手段】ＰＡＬ方式又はＳＥＣＡＭ方式の映像信号に水平走査線数を最適化した垂直画素数をもつ表示パネル２０と、入力されたＮＴＳＣ方式の映像信号に対し、ラインメモリ１３を用いてスケーリングするスケーラ１４とを備える。スケーラ１４は、ＮＴＳＣ方式の映像信号の水平走査線の走査線数を表示パネル２０に対応した水平走査線数に補間する。【選択図】図１
2006186457.tif 000002
【特許請求の範囲】
【請求項１】
ＰＡＬ方式又はＳＥＣＡＭ方式の映像信号に水平走査線数を最適化した表示パネルと、入力されたＮＴＳＣ方式の映像信号に対し、ラインメモリを用いてスケーリングするスケーラとを備え、該スケーラにより、前記ＮＴＳＣ方式の映像信号の水平走査線の走査線数を前記表示パネルに対応した水平走査線数に補間することを特徴とする映像表示装置。
【請求項２】
請求項１に記載の映像表示装置において、前記スケーラは前記ＮＴＳＣ方式の映像信号の水平走査線４８０本を前記表示パネルの水平走査線５４０本に補間するものであることを特徴とする映像表示装置。
【請求項３】
請求項１又は２に記載の映像表示装置において、前記スケーラは所定走査線毎に走査線の補間を調整するものであることを特徴とする映像表示装置。
【発明の詳細な説明】
【技術分野】
【０００１】
本発明は、映像表示装置に関し、より詳細には、ＰＡＬ（ｐｈａｓｅ  ａｌｔｅｒｎａｔｉｏｎ  ｌｉｎｅ）方式やＳＥＣＡＭ（ｓｅｑｕｅｎｔｉａｌ  ａ  ｍｅｍｏｉｒ）方式の映像ソースを表示するのに適した映像表示装置に関する。
【背景技術】
【０００２】
映像ソースを表示するために、液晶パネル、プラズマパネル等のマトリックス型表示パネルを用いた映像表示装置が知られている。このような映像表示装置には、通常、パーソナルコンピュータの表示規格に従った表示パネルが用いられる。例えば、４：３型のＶＧＡ（６４０ドット×４８０ドット）の表示パネルの場合、４８０行の画素列からなり、ＸＧＡ（１０２４ドット×７６８ドット）の表示パネルの場合、７６８行の画素列からなる。
【０００３】
一方、映像ソースのフォーマットでは、ＰＡＬ映像信号の５７６ｉやＨＤＴＶ（Ｈｉｇｈ  Ｄｅｆｉｎｉｔｉｏｎ  ＴｅｌｅＶｉｓｉｏｎ）映像信号の１０８０ｉなどが規定されている。５７６ｉは走査線が５７６本のインターレース信号、１０８０ｉは走査線が１０８０本のインターレース信号である。すなわち、映像ソースの走査線数は、マトリックス型表示パネルの画素の行数と異なる。
【０００４】
したがって、映像ソースをマトリックス型表示パネルに表示するためには、垂直スケーリングを行う必要がある。ここでいう垂直スケーリングとは、映像走査線数をパネルの垂直方向画素数に変換するために、上下に隣り合う水平走査線信号を所定比率で加算／平均化などの演算することにより新たな水平走査信号を作り出す処理である。また、映像ソースをマトリックス型表示パネルに表示するためには、垂直スケーリングと併せて水平方向のスケーリングも適時行われる。
【０００５】
図９は、ＰＡＬ方式の映像ソース用の映像表示装置の構成の主要部を示す図、図１０は、ＰＡＬ方式の標準（ＳＤ）映像信号のスケーリングを説明するための図、図１１は、ハイビジョン（ＨＤ）映像信号のスケーリングを説明するための図である。図９には、ＰＡＬ方式の映像ソース又はハイビジョン信号を１６：９型のＰＣ規格に沿ったＷ−ＸＧＡ液晶表示パネルに表示する映像表示装置の例を示しており、この映像表示装置においてＰＡＬ方式標準映像信号及びハイビジョン映像信号を表示する際のスケーリングについて、図１０及び図１１を参照して説明する。
【０００６】
図９で例示する映像表示装置１００は、複数の映像ソースからの映像信号Ａ，Ｂ，Ｃを切り替えて入力する入力切換部１０１、アナログ信号をデジタル信号に変換するＡＤコンバータ１０２、スケーリング用フレームメモリ１０３、スケーリング，ＩＰ変換等の映像信号変換処理を行うスケーラである映像信号変換部１０４、画質強調補正処理を行う画質強調補正部１０５、オンスクリーン信号を制御するＯＳＤ（Ｏｎ  Ｓｃｒｅｅｎ  Ｄｉｓｐｌａｙ）制御部１０６、オンスクリーン信号を混合するＯＳＤ混合部１０７、γ補正を行うγ補正部１０８、液晶パネルを制御する液晶コントローラ１０９、液晶パネル１１０、ゲートドライバ１１１、及びソースドライバ１１２で構成される。
【０００７】
映像信号変換部１０４は、ＩＰ変換等の映像信号変換処理を行うとともに、スケーリング用フレームメモリ１０３を用いて、ＰＡＬ映像信号であれば走査線が５７６本のインターレース方式の映像信号（以下、５７６ｉ信号という）を走査線が７６８本のプログレッシブ信号（以下、７６８ｐ信号という）に、ハイビジョン信号であれば走査線が１０８０本のインターレース方式の映像信号（以下、１０８０ｉ信号という）を７６８ｐ信号に垂直スケーリングする。ＮＴＳＣ方式の映像ソースやＰＣの表示規格に従った表示パネルによってＰＡＬ方式の映像信号を表示する場合、スケーリング時の作業メモリとしてスケーリング用フレームメモリ１０３が必要になる。
【０００８】
図１０を参照して、ＰＡＬ方式の標準映像信号の垂直スケーリングについて説明する。図１０において、１２３は、１６：９型のＷ−ＸＧＡ（１３６６ドット×７６８ドット）の表示パネル（図９の液晶パネル１１０に相当）の画素列を模式的に表示したものであり、以下、この表示パネルを単にＷ−ＸＧＡパネルと称する。
【０００９】
まず、５７６ｉ信号１２０を、走査線が５４７本のプログレッシブ信号１２１に変換する。以下、こうして生成された信号を単に５４７ｐ信号１２１と称する。ここで、走査線がインターレース５７６本からプログレッシブ５４７本に変化しているのは、片フィールドの信号をラインメモリにより１ラインを２ラインに増やす処理を行い５７６ｐ信号に変換し、さらに５％のオーバスキャン分２９ラインカットを行ったためである。次に、５４７ｐ信号１２１を、垂直スケーリングによって、走査線が７６８本のプログレッシブ信号（７６８ｐ信号）１２２に変換する。７６８ｐ信号１２２は、その走査線数が７６８本であるので、７６８行の画素列を有するＷ−ＸＧＡパネルに表示することができる。なお、５７６ｉ映像信号１２０は４：３型であるから、それを１６：９型の表示パネルに表示するには、水平方向のスケーリングも必要である。
【００１０】
次に、図１１を参照してハイビジョン（ＨＤ）映像信号の垂直スケーリングを説明する。図１１において、１３３はＷ−ＸＧＡパネルの画素列を模式的に表示したものである。まず、１０８０ｉ信号１３０を、走査線が５４０本のプログレッシブ信号１３１に変換する。以下、こうして生成された信号を単に５４０ｐ信号１３１と称する。ここで、走査線がインターレース１０８０本からプログレッシブ５４０本に減少しているのは、偶数フィールド又は奇数フィールドの信号の片方の信号を１画面の信号としたためである。次に、５４０ｐ信号１３１を、垂直スケーリングによって、走査線が７６８本のプログレッシブ信号（７６８ｐ信号）１３２に変換する。７６８ｐ信号１３２は、その走査線数が７６８本であるので、７６８行の画素列を有するＷ−ＸＧＡパネルに表示することができる。なお、１０８０ｉ映像信号は１６：９型であるから、それを１６：９型の表示パネルに表示する場合、水平方向のスケーリングは不要である。
【００１１】
映像表示装置に関する従来技術としては、色差信号に対しＳＥＣＡＭ方式で規定されている振幅を有するベルテーブルを備え、ＰＡＬ方式とＮＴＳＣ方式、ＳＥＣＡＭ方式に対応可能な映像信号処理回路が提案されている（例えば、特許文献１を参照）。また、水平同期信号の周期に基づいて信号線に蓄積される電圧の保持帰還が一定になるようにゲートパルスの位相を制御し、ＮＴＳＣ方式とＰＡＬ方式の表示品位の差異をなくようにした液晶表示装置も提案されている（例えば、特許文献２を参照）。
【特許文献１】特開２００２−１８５９７５号公報
【特許文献２】特開平５−１２７６２１号公報
【発明の開示】
【発明が解決しようとする課題】
【００１２】
しかしながら、このような従来のＷ−ＸＧＡ方式の表示パネルにあっては、ＰＡＬ方式の映像ソースやハイビジョン信号を表示させる際に、垂直スケーリングを行う必要がある。ここでの垂直スケーリングは、映像走査線数をパネルの垂直方向画素数に変換するために、上下に隣り合う水平走査線信号を所定比率で加算／平均化などの演算をすることにより新たな水平走査信号を作り出すものであり、本来の映像信号よりも必ずボケるという問題が生じる。
【００１３】
また、このような垂直スケーリングを行う際には、少なくとも１フレーム分の画像をメモリ上で展開する必要があるためフレームメモリが必要となるとともにスケーラの構成が複雑になるという欠点があった。例えば、ＰＡＬ映像信号をＷ−ＸＧＡ方式の表示パネルに表示する場合、図９で例示したように、スケーリング用フレームメモリ１０３、並びにフレームメモリ１０３を用いて画像を変換する回路規模の比較的大きい映像信号変換部１０４が必要となり、コストアップの要因となっていた。
【００１４】
また、最近の映像表示装置は、ＮＴＳＣ方式、ＰＡＬ方式などのいずれの方式においてもアスペクト比率が４：３の従来の映像信号だけでなく、アスペクト比率が１６：９のワイド方式映像信号に表示にも対応する必要がある。垂直方向画素数は４：３映像信号の表示信号が存在する走査線数に対応した数が最適であるが、水平方向画素数は垂直方向画素数の１６／９倍の数にすることにより、表示パネルのアスペクト比率を１６：９にすることが適当である。従来、このようなアスペクト比率が１６：９のワイド方式映像信号に対応したＰＡＬ方式の表示パネルは存在していない。このため、より大きなスケーリングが必要となり、上述した画質の影響及びコストアップを招来する。
【００１５】
さらに、ＰＣのＶＧＡ解像度はＮＴＳＣ映像信号の表示信号が存在する走査線数に近いものであるため、ＮＴＳＣ信号は比較的表示信号とパネル画素を合致させることが容易であるが、ＰＡＬ信号やＳＥＣＡＭ信号は走査線数が異なるためフレームメモリを用いた垂直スケーリングが必要となる。このため、ＰＡＬ方式やＳＥＣＡＭ方式の映像信号に対して垂直方向画素数が合致した表示パネルによって、表示信号と画素を合致させて表示するような装置が求められる。
【００１６】
さらに、有効走査線数が５４０本のＰＡＬ信号やＳＥＣＡＭ信号に最適化した垂直方向画素数をもつ表示パネルを採用した場合、その表示パネルにおいて有効走査線数が４８０本のＮＴＳＣ信号を表示するに際し、走査線数が異なるためフレームメモリを用いた垂直スケーリングが必要となり、回路規模の増大、コストアップ、並びに駆動電力の増大が避けられない。
【００１７】
本発明は、上述のごとき実情に鑑みてなされたものであり、ＰＡＬ信号やＳＥＣＡＭ信号に最適化した表示パネルに対し、回路規模、コスト、並びに駆動電力を増大させることなく、ＮＴＳＣ信号を表示することが可能な映像表示装置を提供することをその目的とする。
【課題を解決するための手段】
【００１８】
本発明に係る映像表示装置は、上述のごとき課題を解決するために、以下の各技術手段でそれぞれ構成される。
第１の技術手段は、ＰＡＬ方式又はＳＥＣＡＭ方式の映像信号に水平走査線数を最適化した表示パネルと、入力されたＮＴＳＣ方式の映像信号に対し、ラインメモリを用いてスケーリングするスケーラとを備え、該スケーラにより、前記ＮＴＳＣ方式の映像信号の水平走査線の走査線数を前記表示パネルに対応した水平走査線数に補間することを特徴としている。
【００１９】
第２の技術手段は、第１の技術手段において、前記スケーラは前記ＮＴＳＣ方式の映像信号の水平走査線４８０本を前記表示パネルの水平走査線５４０本に補間するものであることを特徴としている。
【００２０】
第３の技術手段は、第１又は第２の技術手段において、前記スケーラは所定走査線毎に走査線の補間を調整するものであることを特徴としている。
【発明の効果】
【００２１】
本発明によれば、ＰＡＬ信号やＳＥＣＡＭ信号に最適化した垂直画素数をもつ表示パネルに対し、回路規模、コスト、並びに駆動電力を増大させることなく、ＮＴＳＣ信号を表示することが可能となる。
【発明を実施するための最良の形態】
【００２２】
本発明に係る映像表示装置は、ＰＡＬ方式又はＳＥＣＡＭ方式の映像信号に水平走査線数を最適化した表示パネルを備えるものとする。そして、この映像表示装置は、ＰＡＬ方式又はＳＥＣＡＭ方式の映像信号をその表示パネルで表示可能となっているだけでなく、ＮＴＳＣ方式の映像信号にも対応可能とする。そのため、この映像表示装置には、入力されたＮＴＳＣ方式の映像信号に対し、ラインメモリを用いてスケーリングするスケーラを備え、そのスケーラにより、ＮＴＳＣ方式の映像信号の水平走査線の走査線数を表示パネルに対応した水平走査線数に補間する。このスケーラは、ラインメモリを使用したものであり、後述するように、画面サイズを簡易にスケーリング可能となっている。
【００２３】
図１は、本発明の一実施形態に係る映像表示装置の一構成例における主要部を示す図である。以下、本実施形態に係る映像表示装置について、ＰＡＬ方式の映像ソース用の液晶パネルを備えたものとして説明するが、プラズマパネル等などの他のマトリックス型の表示装置に対しても、またＳＥＣＡＭ方式に対応するものであっても同様に適用可能である。また、本発明に係る映像表示装置は、ＰＡＬ方式又はＳＥＣＡＭ方式の送受信装置などにも適用可能である。
【００２４】
図１で例示する液晶映像表示装置１は、入力切換部１１、ＡＤコンバータ１２、スケーリング用ラインメモリ１３、簡易スケーラ１４、画質強調補正部１５、ＯＳＤ制御部１６、ＯＳＤ混合部１７、γ補正部１８、液晶コントローラ１９、液晶パネル２０、ゲートドライバ２１、及びソースドライバ２２を備えて構成される。なお、映像表示装置１を構成する各部の構成並びに接続関係は、これに限ったものではない。
【００２５】
入力切換部１１は、複数の映像ソースからの映像信号Ａ，Ｂ，Ｃ，．．．を切り換えて入力する。ここで入力される映像信号としては、所定の走査線数を有する、例えばＰＡＬ方式，ＮＴＳＣ方式，ＨＤ方式などの映像信号などが該当し、それらのいずれかが選択され後段に送出される。また、各方式の映像信号はチューナによって選局され、入力切換にて任意の信号が選択される。ここでは、映像信号がアナログ信号である例を挙げており、ＡＤコンバータ１２は、切換によって選択されたアナログ信号をデジタル信号に変換する。
【００２６】
簡易スケーラ１４は、スケーリング用ラインメモリ１３を用いてＩＰ変換等の映像信号変換処理を行うとともに、スケーリング用ラインメモリ１３を用いて後述する簡易スケーリングを行うなどして、液晶パネル２０のサイズに従った解像度のデータに変換する。なお、クロック周波数は入力される映像信号によって異なるが、クロック周波数もこのデータ変換に応じて変更される。また、ＰＡＬ標準信号だけでなくＮＴＳＣ標準信号を表示する場合にも、スケーリング用ラインメモリ１３を用いた簡易スケーラ１４によって、ＰＡＬ方式の表示が可能である。なお、映像表示装置１において、ＨＤ方式の映像信号（１０８０ｉ）を表示する場合には、簡易スケーラ１４及びスケーリング用ラインメモリ１３が無くてもＰＡＬ方式の表示が可能である。
【００２７】
画質強調補正部１５は、ライン方向のみ又は上下左右数ピクセルを用い、デジタルフィルタによって映像のエッジ強調等の画質強調補正処理を施す。ＯＳＤ制御部１６は、内蔵するフォントデータ又はビットマップデータによりオンスクリーン信号（ＧＵＩ信号）を生成する制御を行う。ＯＳＤ混合部１７は、ＯＳＤ制御部１６で作成したフォントや図形等を表すオンスクリーン信号を画面に重畳するために混合する。γ補正部１８は、映像のγ特性をγテーブルに従って変更して映像のトーンを調整する。液晶コントローラ１９は、映像データを液晶パネル２０を駆動する信号に変換してゲートドライバ２１及びソースドライバ２２に出力することで液晶パネル２０を制御する。ゲートドライバ２１は、液晶パネル２０のアクティブマトリックスのゲート信号を制御してどのラインに書込むかを決定する。ソースドライバ２２は、液晶パネル２０のアクティブマトリックスのソース信号を制御する。
【００２８】
液晶パネル２０は、画素の垂直方向と水平方向の間隔が等しく構成されたＸ，Ｙのマトリクス構造をもち、スケーリングされた映像信号を入力してプログレッシブ方式の映像を表示するマトリックス型の表示パネルである。液晶パネル２０は、ＰＡＬ方式の水平走査線のうち表示信号が存在する水平走査線の数に対応する垂直方向画素数をもち、水平方向画素数としては、例えばその垂直方向画素数に対して１６／９の比率の数に対応する画素数をもたせる。Ｘ方向制御はソースドライバ２２が行い、Ｙ方向制御はゲートドライバ２１が行う。ソースドライバ２２には液晶に書き込むべきＲＧＢ信号と液晶駆動クロック（ＸＣＬＫ）が入る。ゲートドライバ２１には書き込みするか否かを制御するＯＥ信号、書込むラインを移動するためのＹＣＬＫが入る。ＰＡＬ信号（５４０ｐに変換済み）が入力される時は、１フィールド表示開始時にまずＹＣＬＫが１クロック入り、１ライン目を書き込みラインと指定し、ＯＥがアクティブになり、書込み可能状態になる。ＲＧＢ信号が１ライン分ソースドライバ２２より入力され、ゲートドライバ２１で指定された１ライン目にデータを書き込む。１ライン書込み後ＹＣＬＫが１クロック入り、次にラインを指定する。ＲＧＢ信号が書き込まれる。以下すべてのラインが書き込まれるまで続く。
【００２９】
以下、上述のごとく構成された映像表示装置の簡易スケーラ１４における映像信号変換処理を説明する。ここで、所定走査線毎に走査線の補間を調整することによって、液晶パネルの各ラインに対する映像信号が割り当てられるものとして説明する。
【００３０】
図２は、図１の映像表示装置においてＰＡＬ方式の映像信号を表示する際の映像信号変換処理例を説明するための図で、図３は、液晶パネルの各ラインに対するＰＡＬ映像信号（偶フィールド）の割り当て方法を説明するための図、図４は、液晶パネルの各ラインに対するＰＡＬ映像信号（奇フィールド）の割り当て方法を説明するための図である。
【００３１】
ＰＡＬ方式（又はＳＥＣＡＭ方式）の映像信号は、走査線数が６２５本のインターレース方式の映像信号であり、そのうち映像信号の走査線は５７６本となっている。この映像信号（５７６ｉ信号）３０を、５４０本の画素列からなる液晶パネル２０で表示するためには、まず片フィールドの５７６ｉ信号３０に対し、ラインメモリ１３を用いてＩＰ変換を施して、走査線が５７６本のプログレッシブ信号（以下、５７６ｐ信号という）３１に変換する。このＩＰ変換例は、５７６ｉ信号３０に対し、スケーリング用ラインメモリ１３を用いてフィールドの走査線数を２８８本から倍の５７６本に増やす簡易な垂直スケーリングである。ここで、インターレース信号はプログレッシブ信号に変化しているが走査線の数は変化していないので、複雑な垂直方向のスケーリングは不要である。
【００３２】
また、５７６ｉ信号３０はその有効走査線数が５４０本（片フィールド２７０本）であり、５７６ｐ信号３１もその有効走査線数が５４０本となる。したがって、ラインメモリ１３へ入力する走査線数を液晶パネル２０に合致した走査線数（５４０本）に制限するオーバースキャン処理を施す必要がある。このオーバースキャン処理によって、５７６ｐ信号３１が、走査線数が５４０本のプログレッシブ信号（以下、５４０ｐ信号という）３２に変換される。なお、走査線が５７６本から５４０本に減少しているのは、６.２５％のオーバスキャン分カットを行ったためであり、ここでも垂直スケーリングは不要である。
【００３３】
そして、５４０ｐ信号３２は、図２で符号３３で示すように、５４０本の画素列からなる液晶パネル２０での表示が可能となる。符号３３は、１６：９型の欧州規格の表示パネル（９６０ドット×５４０ドット）の画素列を模式的に表示したものであり、以下、この表示パネルを単にワイドユーロパネルという。なお、本発明に係る映像表示装置は、ＰＡＬ又はＳＥＣＡＭ方式の映像信号の走査線数をもった表示パネルを具備すればよく、このワイドユーロパネルに限らない。また、５７６ｉ信号３０から５７６ｐ信号３１へのＩＰ変換の前に、オーバースキャン処理を施しておいてもよく、つまり、５７６ｉ信号をオーバースキャン処理して５４０ｉ信号に変換し、その後、ＩＰ変換して５４０ｐ信号に変換しても良い。また、５７６ｉ信号３０は４：３型であるから、それを１６：９型のワイドユーロパネルに表示するには、水平方向のスケーリングが必要である。
【００３４】
このように、ＰＡＬ方式の映像信号に対しては、ラインメモリ１３を用いてＩＰ変換処理及びオーバースキャン処理が施される。また、ここでは最も単純なＩＰ変換例として各走査線に対応する映像信号を、液晶パネル２０における複数の画素列に対して入力する例を示している。このＩＰ変換例では、偶フィールドの映像信号は、図３で示すように、それぞれの走査線が液晶パネル２０における２本の画素列で表示されることとなり、奇フィールドの映像信号は、図４で示すように、１ライン分下げる必要があるため最初の走査線の映像信号を３本の画素列で表示する必要があるが、それ以外は各走査線に対応する映像信号を、液晶パネル２０における２本の画素列で表示することとなる。そして、奇フィールドで３本の画素列に対して同じ走査線の映像信号を供給することから、このＩＰ変換で使用するラインメモリ１３は同時読み書き可能な２本であり、５７６ｉ信号における２８８ラインの１ラインを取り込み、取り込み後、倍のクロック周波数で出力することで、ライン数を倍にして５７６ラインにする。このとき、１ラインの水平周期は５７６ｉ信号の水平周期の半分にしておく。
【００３５】
ここで、液晶パネル２０におけるパネル駆動周波数について、ユーロパネル（パネル水平ドット数が９６０でパネル垂直ドット数が５４０）を例に挙げて説明する。ＰＡＬ方式の映像信号は、１フィールド２７０ラインで構成されており、その垂直同期周波数が５０Ｈｚ、水平同期周波数１５．６２ＫＨｚとなっている。一方、ユーロパネルも含めＰＡＬ方式に適した液晶パネル２０は、１フィールド５４０ラインで表示するよう構成され、その垂直同期周波数が５０Ｈｚ、水平同期周波数３１．２５ＫＨｚとなっており、パネル駆動周波数（駆動クロック）は４０．５ＭＨｚとなっている。なお、垂直トータルクロック数は、６２５となる。
【００３６】
なお、パネル駆動周波数は、水平同期周波数と水平トータルクロック数から決まる。水平トータルクロック数とは、水平１ラインにおいて帰線期間まで含めた場合の駆動クロック数であり、ＰＡＬ方式に適した液晶パネル２０の場合は１２９６クロックである。ＰＡＬ信号時（５７６ｐ時）は水平同期周波数が３１．２５ＫＨｚであるので、この場合のパネル駆動周波数は、３１．２５ＫＨｚ×１２９６＝４０．５ＭＨｚとなる。
【００３７】
図５は、図１の映像表示装置においてＮＴＳＣ方式の映像信号を表示する際の映像信号変換処理例を説明するための図で、図６は、液晶パネルの各ラインに対するＮＴＳＣ映像信号（偶フィールド）の割り当て方法を説明するための図、図７は、液晶パネルの各ラインに対するＮＴＳＣ映像信号（奇フィールド）の割り当て方法を説明するための図である。
【００３８】
ＮＴＳＣ方式の映像信号は、走査線数が５２５本のインターレース方式の映像信号（以下、５２５ｉ信号という）４０であり、そのうち有効走査線が４８０本存在する。この５２５ｉ信号４０を５４０本の画素列からなる液晶パネル２０で表示するためには、ラインメモリ１３へ入力する走査線数をその有効走査線数（４８０本のインターレース方式）に制限するオーバースキャン処理を行って、走査線数が４８０本のインターレース信号（以下、４８０ｉ信号という）４１に変換した後、このラインメモリ１３を使用して４８０ｉ信号４１を、走査線数が４８０本のプログレッシブ信号（以下、４８０ｐ信号という）にＩＰ変換し、同じくラインメモリ１３を使用して４８０ｐ信号を５４０ｐ信号４２に簡易な垂直スケーリングを施す。５４０ｐ信号４２は、５４０本の画素列からなる液晶パネル２０での表示が可能となる。したがって、このラインメモリ１３は、４８０ｉ信号４１を５４０ｐ信号４２に変換する際に、それらの整数比（４：９）を鑑みて、最低４本分、具備すれば済むことになる。このような簡易の垂直スケーリング処理によって、５２５ｉ信号４０が最終的に５４０ｐ信号４２に変換され、図５において符号４３で示すように、５４０本の画素列からなる液晶パネル２０での表示が可能となる。なお、符号４３は、ユーロパネルの画素列を模式的に表示したものである。また、５２５ｉ信号４０は４：３型であるから、それを１６：９型のワイドユーロパネルに表示するには、水平方向のスケーリングが必要である。
【００３９】
このように、ＮＴＳＣ方式の映像信号に対しては、ラインメモリ１３を用いてＩＰ変換処理、オーバースキャン処理、及び簡易の垂直スケーリング処理が施される。また、ここでは最も単純なＩＰ変換例として各走査線に対応する映像信号を、液晶パネル２０における複数の画素列に対して入力する例を示している。このＩＰ変換例では、ＮＴＳＣ（有効ライン数がインターレース方式の４８０本）をＰＡＬ方式の液晶パネル（有効ライン数５４０本）に表示するために、ラインメモリ１３を用いてライン数合わせを行って、ライン数を９／８倍（実質９／４倍）に増やして、ＮＴＳＣ信号の８ライン（実質４ライン）に１本の割合でラインを追加する。
【００４０】
偶フィールド及び奇フィールドの映像信号に対するラインの割り当てについては、図６及び図７で例示しているが、それぞれの走査線が液晶パネル２０における２本又は３本の画素列で表示されるように割り当てる。偶フィールドの各走査線（ライン）が表示される液晶パネル２０の画素列としては、ｎライン目が１，２列目に表示され、ｎ＋１ライン目が３，４列目に表示され、ｎ＋２ライン目が５，６列目に表示され、ｎ＋３ライン目が７〜９列目に表示され、このような対応関係が繰り返される。奇フィールドの各走査線（ライン）が表示される液晶パネル２０の画素列としては、１ライン分下げる必要があるためｎライン目が１〜３列目に表示され、ｎ＋１ライン目が４，５列目に表示され、ｎ＋２ライン目が６，７列目に表示され、ｎ＋３ライン目が８〜１０列目に表示され、このような対応関係が繰り返される。但し、ｎ＋４，ｎ＋８，・・・ライン目では、１ライン分下げる必要がないのでｎライン目と異なり、２列の画素列で表示されることとなる。このように、９本の画素列に対して４本の走査線の映像信号を供給することから、このＩＰ変換で使用するラインメモリ１３は同時読み書き可能な４本となる。
【００４１】
ＰＡＬ方式の液晶パネル２０においてＮＴＳＣ方式の映像信号を表示する際には、さらに、水平同期周波数の違いを吸収するために液晶パネル２０の表示クロックを上げなければならない。ＮＴＳＣ信号は、１フィールド２７０ラインで構成されており、その垂直同期周波数が６０Ｈｚ、水平同期周波数１５．７３ＫＨｚとなっている。ＮＴＳＣ方式の有効な映像信号（４８０ｉ）は水平同期周波数が１５．７３ＫＨｚであるので、このＮＴＳＣ信号の水平ライン２４０本が液晶パネル２０の５４０本の駆動時間に相当すると考えると、このときの水平同期周波数は１５．７３／２４０×５４０＝３５．４ＫＨｚである。一方でパネル水平トータルクロック数は上述したように１２９６であるので、パネル駆動周波数は３５．４ＫＨｚ×１２９６＝４５．８ＭＨｚとなる。なお、垂直トータルクロック数は、ＮＴＳＣにＰＡＬライン数を無理に合わるため、５９０となりＮＴＳＣの規格ともＰＡＬの規格とも合わない。このように、液晶パネル２０は、パネル駆動周波数を、ＰＡＬ信号表示時には４０．５ＭＨｚとし、ＮＴＳＣ表示時には４５．８ＭＨｚと、表示クロックを上げる。
【００４２】
なお、図１等で例示する映像表示装置は、その液晶パネル２０において１０８０ｉ映像信号も表示可能である。まず、１０８０ｉ映像信号を走査線が５４０本のプログレッシブ信号、すなわち、５４０ｐ信号に変換する。１０８０ｉの１フィールドの走査線５４０本をそのまま利用するため垂直スケーリングは不要である。５４０ｐ信号の走査線は、５４０本であるから、５４０行の画素列を有するワイドユーロパネルに表示することができる。なお、１０８０ｉ映像信号は１６：９型であるから、それを１６：９型のワイドユーロパネルに表示する場合の水平スケーリングも不要である。
【００４３】
最後に、図８を参照して図１の映像表示装置の回路構成例を説明する。図８で例示するマトリックス型表示装置の表面には、液晶パネル２０が装着され、背面には、電源基板５１、信号入力基板５２、メイン基板５３、ＬＣＤ制御基板５４、バックライト用インバータ基板５５、操作スイッチ基板５６が設けられている。
【００４４】
信号入力基板５２には、入力切換部１１に相当する入力切換ＩＣ６１が設けられている。メイン基板５３には、ＡＤコンバータ１２に相当するＡＤコンバータＩＣ６２、映像信号変換用メモリ１３に相当する映像信号変換用メモリＩＣ６３、及び画像処理ＩＣ６４が設けられている。画像処理ＩＣ６４は、映像信号変換部１４、画質強調補正部１５、ＯＳＤ制御部１６、及びＯＳＤ混合部１７に相当するＩＣである。ＬＣＤ制御基板５４には、γ補正部１８に相当するγ補正ＩＣ６５、液晶コントローラ１９に相当する液晶コントローラＩＣ６６が設けられている。マトリックス型表示装置の背面には、さらに、ゲートドライバ２１、及びソースドライバ２２が設けられている。
【００４５】
以上、説明したように、本発明に係る映像表示装置における簡易スケーラ１４では、ＮＴＳＣ方式の標準（ＳＤ）映像信号をワイドユーロパネル等のＰＡＬ方式の表示パネルに表示する場合、垂直方向に対しては、５２５ｉ信号をオーバースキャンして４８０ｉ信号に変換した後、４８０ｉ信号に対して５４０ｐ信号との走査線数の比に基づいた簡易な垂直スケーリングによってＩＰ変換を施すだけである。その他は、水平方向のスケーリングを必要に応じて施せばよい。一方、この映像表示装置は、ＰＡＬ方式の映像信号に適したものであるので、ＰＡＬ方式の標準（ＳＤ）映像信号をワイドユーロパネルに表示する場合には、５７６ｉ信号を５７６ｐ信号にＩＰ変換し、それを５４０ｐ信号に変換するだけであり、オーバスキャンと水平スケーリングに加えて垂直方向には単純に２倍のスケーリングを行うだけのＩＰ変換で済む。また、ハイビジョン（ＨＤ）映像信号をワイドユーロパネルに表示する場合も、１０８０ｉ信号を５４０ｐ信号に変換するだけであり、垂直スケーリングは不要である。
【００４６】
このように、従来ではスケーラにフレームメモリを使っていたが、本発明ではフレームメモリより格段にメモリ容量の小さいラインメモリを使うだけの簡素化されたスケーラが採用でき、回路の簡素化により規模及びコスト面で有益となるだけでなく、消費電力の低減が可能となり、環境に優しい映像表示装置が提供できる。また、映像信号の水平走査線信号をパネルの画素に合致させて表示することにより、スケーリングの必要がないか、若しくは簡易なスケーリングで済み、スケーリングによる画質の影響を極力防止することもできる。このように、本発明によれば、ＰＡＬ信号やＳＥＣＡＭ信号に最適化した垂直画素数をもつ表示パネルに対し、回路規模、コスト、並びに駆動電力を増大させることなく、ＮＴＳＣ信号を表示することが可能となる。
【図面の簡単な説明】
【００４７】
【図１】本発明の一実施形態に係る映像表示装置の一構成例における主要部を示す図である。
【図２】図１の映像表示装置においてＰＡＬ方式の映像信号を表示する際の映像信号変換処理例を説明するための図である。
【図３】液晶パネルの各ラインに対するＰＡＬ映像信号（偶フィールド）の割り当て方法を説明するための図である。
【図４】液晶パネルの各ラインに対するＰＡＬ映像信号（奇フィールド）の割り当て方法を説明するための図である。
【図５】図１の映像表示装置においてＮＴＳＣ方式の映像信号を表示する際の映像信号変換処理例を説明するための図である。
【図６】液晶パネルの各ラインに対するＮＴＳＣ映像信号（偶フィールド）の割り当て方法を説明するための図である。
【図７】液晶パネルの各ラインに対するＮＴＳＣ映像信号（奇フィールド）の割り当て方法を説明するための図である。
【図８】図１の映像表示装置の回路構成例を示す図である。
【図９】従来のＰＡＬ方式の映像ソース用の映像表示装置の構成の主要部を示す図である。
【図１０】従来のＷ−ＸＧＡ方式のマトリックス型表示装置における、ＰＡＬ標準映像信号の映像信号変換処理を説明するための図である。
【図１１】従来のＷ−ＸＧＡ方式のマトリックス型表示装置における、ハイビジョン映像信号の映像信号変換処理を説明するための図である。
【符号の説明】
【００４８】
１１…入力切換部、１２…ＡＤコンバータ、１３…スケーリング用ラインメモリ、１４…簡易スケーラ、１５…画質強調補正部、１６…ＯＳＤ制御部、１７…ＯＳＤ混合部、１８…γ補正部、１９…液晶コントローラ、２０…表示パネル、２１…ゲートドライバ、２２…ソースドライバ。
【図１】
2006186457.tif 000003
【図２】
2006186457.tif 000004
【図３】
2006186457.tif 000005
【図４】
2006186457.tif 000006
【図５】
2006186457.tif 000007
【図６】
2006186457.tif 000008
【図７】
2006186457.tif 000009
【図８】
2006186457.tif 000010
【図９】
2006186457.tif 000011
【図１０】
2006186457.tif 000012
【図１１】
2006186457.tif 000013